Podtech/llm-jp-corpus-v4-ja_patent huggingface dataset:
(57)【要約】【課題】液晶モニターと一体化した記録媒体に関し、液晶モニターの縦長表示又は横長表示の表示方法に伴い、記録媒体が移動することにより挿入および取り出しの操作を常に横方向から行うには、記録媒体移動装置が必要であった。【解決手段】  本発明は、記録媒体を記録媒体取り付け台に固定して、回転軸を中心にＲ型ガイドレールを通り記録媒体が記録媒体取り付け台と一体となって短辺側面又は長辺側面に移動する記録媒体移動装置を提供する。【選択図】図１
2006195473.tif 000002
【特許請求の範囲】
【請求項１】
液晶モニターと一体化した記録媒体に関し、液晶モニターの縦長表示又は横長表示の表示方法において、挿入及び取り出しの操作を常に側面から行うために記録媒体を移動する装置。
【請求項２】
請求項１記載の記録媒体を移動する装置において、回転軸を中心としてガイドレールをスライドして移動することを特徴とする。
【発明の詳細な説明】
【技術分野】
【０００１】
本発明は液晶モニターと一体化した記録媒体に関し、液晶モニターの縦長表示又は横長表示の表示方法において常に横方向から挿入及び取り出しの操作を行うために記録媒体を移動する装置。
【背景技術】
【０００２】
従来、液晶モニターと一体化した記録媒体は一辺に固定されたものが主流であった。
【０００３】
液晶モニターの表示方法も縦長表示と横長表示ができるようになった。
【０００４】
そのため、液晶モニターの表示方法が縦長表示又は横長表示になっても常に横方向から挿入および取り出しの操作を行う案が浮上する。
【発明の開示】
【発明が解決しようとする課題】
【０００５】
上述した一辺に固定された記録媒体では、液晶モニターの縦長表示と横長表示の表示方法によって、記録媒体の挿入および取り出しが上部や下部になり、操作が不便であるという問題があった。
【課題を解決するための手段】
【０００６】
本発明による記録媒体移動装置は、液晶モニターの縦長表示と横長表示の表示方法において、常に横方向から挿入および取出しができるように記録媒体を移動する装置である。
【発明の効果】
【０００７】
本発明の記録媒体移動装置によれば、液晶モニターの表示方法が縦長表示になっても横長表示になっても常に横方向から挿入および取出しができるという効果が得られる。
【発明を実施するための最良の形態】
【０００８】
以下に、本発明を実施するための最良の形態について図面を参照して説明する。
【０００９】
図１は本発明による記録媒体移動装置の形態を示す液晶モニターの背面外観図、図２は記録媒体移動装置の断面図である。
【００１０】
１は後キャビネットを示し、記録媒体移動装置は後キャビネットの筺体内に収納されている。
【００１１】
２は記録媒体を示す。
【００１２】
３は記録媒体取り付け台を示し、記録媒体を取り付けてビスで固定する。
【００１３】
４は回転軸を示し、取り付け台３をこの回転軸にセットする。
【００１４】
５はＲ型ガイドレールを示し後キャビネットに固定される。
【００１５】
６は短辺側開閉蓋を示し、後キャビネットの短辺側にセットされていて記録媒体取り付け台が移動することにより開閉する。
【００１６】
７は長辺側開閉蓋を示し、後キャビネットの長辺側にセットされていて記録媒体取り付け台が移動することにより開閉する。
【００１７】
８はローラーを示し、小型モーター９に取り付けてＲ型ガイドレール５を通り、記録媒体取り付け台３を所定の位置に移動する。
【００１８】
９は小型モーターを示し、記録媒体取り付け台に固定される。
【００１９】
たとえば、上述の説明では記録媒体移動装置としてＲ型ガイドレールのローラーに小型モーターを取り付けたが、回転軸に小型モーターを取り付けることも本発明に含まれる。
【図面の簡単な説明】
【００２０】
【図１】本発明の一実施の形態である記録媒体移動装置の横長表示の場合の背面外観図である。
【図２】本発明の一実施の形態である記録媒体移動装置の縦長表示の場合の背面外観図である。
【図３】本発明の一実施の形態である記録媒体移動装置の断面図である。
【符号の説明】
【００２１】
１          後キャビネット
２          記録媒体
３          記録媒体取り付け台
４          回転軸
５          Ｒ型ガイドレール
６          短辺側開閉蓋
７          長辺側開閉蓋
８          ローラー
９          小型モーター
【図１】
2006195473.tif 000003
【図２】
2006195473.tif 000004
【図３】
2006195473.tif 000005
【手続補正書】
【提出日】平成18年1月17日(2006.1.17)
【手続補正１】
【補正対象書類名】図面
【補正対象項目名】図１
【補正方法】変更
【補正の内容】
【図１】
2006195473.tif 000006
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
後キャビネットと、前記後キャビネットに設けられた回転軸と、前記回転軸に回動可能にセットされた取り付け台と、前記後キャビネットの短辺側にセットされた短辺側開閉蓋と、前記後キャビネットの長辺側にセットされた長辺側開閉蓋とを有し、横長表示の場合は、前記取り付け台が回動することにより前記短辺側開閉蓋を開くことで、短辺側から記録媒体を挿入及び取り出し操作可能とし、縦長表示の場合は、前記取り付け台が回動することにより前記長辺側開閉蓋を開くことで、長辺側から記録媒体を挿入及び取り出し操作可能とすることを特徴とする液晶モニター。
【請求項２】
前記後キャビネットは、Ｒ型ガイドレールを有することを特徴とする請求項１記載の液晶モニター。
(57)【要約】      （修正有）【課題】学校で雑巾の製作の実習をした際に、被災地の生徒たちを勇気付けたり励ましたりすることができる教材を提供する。【解決手段】全国の学校関係者に有償・無償で雑巾を作る材料を提供し、学校の授業の実習で「愛の雑巾」を製作してもらい、被災地の生徒たちに送る。応援や励ましの意味が込められるように、雑巾にはメッセージを刺繍する。【選択図】図１
2006195397.tif 000002
【特許請求の範囲】
【請求項１】
学校の授業で雑巾製作実習をする際に災害支援活動を盛り込んだ教材
【発明の詳細な説明】
【発明の詳細な説明】
【技術分野】
【０００１】学校の授業で実習をする際の教材に関する技術分野
【背景技術】
【０００２】従来は、学校で使用するための雑巾は、家庭科等の実習の際、自分たちで縫製し作成していた。
【発明が解決しようとする課題】
【０００３】今回、台風や地震などの災害にあわれた学校の生徒たちに使っていただく為の「愛の雑巾」として、全国の学校等の生徒さんたちに雑巾の実習製作をしてもらう。また、それを届けることで、被害をうけられた皆さんを支援したいという発明である。（被災地では雑巾は恒常的に不足している。）
【課題を解決する手段・形態】
【０００４】この発明を広める為に、全国の学校関係者に有償・無償で雑巾をつくる材料を提供し、実習で「愛の雑巾」を製作してもらい、被災地におくる。雑巾には、応援や励ましの意味が込められるように、メッセージを刺繍する。これによって、被災者たちは「愛の雑巾」の支援の思いを深く理解ことができる。
【発明の実施の効果】
【０００５】本案は、以上のような考え方のもと、学校で雑巾製作の実習をした際に、メッセージ刺繍入りの雑巾を被災地の生徒たちにおくることで、勇気付けたり励ましたりする支援を行なうことができる。
【発明の結果】
【０００６】この発明により、全国の生徒さんたちが、地震などの災害にあわれた学校の生徒たちに対して、「愛の雑巾」をおくることは、単に被災地で雑巾として利用をされるだけのものでなく、応援の意味をこめた「愛のメッセージ」としてメンタル的な支援を行なうことができる。
【図面の簡単な説明】
【図１】「愛の雑巾」の製作図
【図２】「愛の雑巾」の完成図
【図１】
2006195397.tif 000003
【図２】
2006195397.tif 000004
(57)【要約】      （修正有）【課題】薄く簡単な構造のため消音シートとして広範囲な利用を提供します。【解決手段】２枚のスリットを交差させた構造なので、音の波はスリットで分離または変形されますので防音材として使用いただけます。【選択図】図１
2006195394.tif 000002
【特許請求の範囲】
【請求項１】
２枚の偏光レンズを重ね、スリットが交差した時に光が遮断され見えなくなります。この原理を用いて消音するものである。このスリット構造が発明です。
【発明の詳細な説明】
【発明の詳細な説明】
【産業上の利用分野】
【０００１】本発明は、騒音を低減するための消音装置に関するものである。
【背景技術】
【０００２】従来騒音対策としては、材料などの特性、実証実験などを利用して行われてきました。
【発明の開示】
【発明が解決しようとする課題】
【０００３】従来騒音対策は、音の波についての研究成果が反映されていなかった。
【課題を解決するための手段】
【０００４】２枚の偏光レンズ板を重ねてスリットを交差させた時に光が遮断され見えなくなります。この原理を用いて消音するものである。このスリット構造が発明です。
【作用】
【０００５】このスリット構造によって騒音は波形を壊されて聞き取れない音となって消音しまいます。
【０００６】また、いろいろな材料で作れますので、硬いものから柔らかいものまで、広範囲に利用される。
【実施例】
【０００７】上記目的を達成するため、いろいろな材料を用いて、レーザー光でスリット構造の板をつくったり、または金型プレスなどにより大量に作ることが出来る。
【発明の効果】
【０００８】本発明は、簡単で薄いスリット構造なので場所を選ばず広範囲な利用が出来ます。
【図面の簡単な説明】
【０００９】
【図１】本発明の消音構造を示す図である。
【図１】
2006195394.tif 000003
(57)【要約】【課題】従来の宣伝用のぼりの支柱の上側部分にに風車を設けて、その複数の羽根の両面に広告の宣伝文又は絵を設け、人の目に付きやすい広告を提供する。【解決手段】のぼりの支柱の上側部に風車を設け、その風車に複数の羽根を設け、その羽根の両側に広告の宣伝文又は絵等を印刷又はシールを貼り、のぼりと風車の両方で宣伝することを特徴とする宣伝用水平風車付きノボリ。【選択図】  図１
2006195398.tif 000002
【特許請求の範囲】
【請求項１】
のぼりの支柱上部に宣伝入りの風車を設けた宣伝用風車付きのぼり。
【請求項２】
のぼりの支柱上部風車の羽根に各種広告を設けた請求項１記載の宣伝用風車付きのぼり。
【請求項３】
のぼりの支柱上部に風車を直角に取付けた請求項１〜２記載の宣伝用風車付きのぼり。
【発明の詳細な説明】
【技術分野】
【０００１】  本発明は、のぼりの支柱の上部に水平に回転する風車を設け、その複数の羽根の両面に宣伝文を設けた宣伝用水平風車付きのぼりに関するものである。
【背景技術】
【０００２】従来、のぼりは開店や大売りだし等宣伝のため又、イベントの案内、交通安全の広報、道路工事等に多く見られる、殆どはのぼりのみである、たま支柱の上部に直角に風車のついたものは有るが、風車をのぼりの支柱の上部に水平に設けたものはなく、又宣伝文の入ったものもなかった。
【発明が解決しようとする課題】
【０００３】  それには次のような問題点があった。
（イ）    のぼりの支柱上端部の利用方法。
（ロ）    宣伝効果の増大。
本発明は、以上のような問題点を解決するためのものである。
【課題を解決するための最良の形態】
【０００４】  従来の、のぼりの支柱の上部に宣伝用の風車を設け、風車に複数の羽根を設け、その複数の羽根には両面に広告の宣伝文、絵を印刷又はシール等で取付ける。
以上を特徴とする宣伝用水平風車付きのぼりである
【発明の効果】
【０００５】  のぼりの宣伝だけでなく、風車でも宣伝が出来る従来の２倍の効果が期待できる。
【発明を実施するための最良の形態】
【０００６】  以下，本発明の実施の形態を説明する。
（イ）    のぼり本体（１）の支柱（２）の上端部に風車（３）を設ける。
（ロ）    風車（３）に複数の羽根（４）を設ける。
（ハ）    複数の羽根（４）の両側に宣伝用の広告宣伝文、絵等を印刷又はシル等を設ける。
本発明は、以上のような構成になっている。
これを使用するときは、従来と同じのぼりを使用し、のぼりの支柱の上側先端部のカバーを外し、宣伝文、絵の入った複数の羽根を持った風車を取付け、その上に先端部カバーを取付ける。
【図面の簡単な説明】
【０００７】
【図１】  本発明の全体の正面図である。
【図２】  本発明の風車の平面図である。
【図３】  本発明の風車の側面図である。
【図４】  本発明の風車の斜視図である。
【図５】  本発明の風車の他の斜視図である。
【図６】  本発明の風車の他の斜視図である。
【符号の説明】
【０００８】  １  のぼり本体
２  支柱
３  風車
４  羽根
【図１】
2006195398.tif 000003
【図２】
2006195398.tif 000004
【図３】
2006195398.tif 000005
【図４】
2006195398.tif 000006
【図５】
2006195398.tif 000007
【図６】
2006195398.tif 000008
(57)【要約】【課題】  この発明の課題は、カメラに内蔵、カメラの外付け、外置きのストロボにおいて、該ストロボの発光部の前面に透過型液晶ディスプレーを配置して価格の安価のしかも各種模様も発光できるシャッター付きストロボを提供するものである。【解決手段】  カメラに内蔵又はカメラの周囲に配置されるストロボにおいて、該ストロボの発光部の前面に透過型液晶ディスプレーを配置してなることを特徴とするシャッター付きストロボ。【選択図】    図１
2006195116.tif 000002
【特許請求の範囲】
【請求項１】
カメラに内蔵又はカメラの周囲に配置されるストロボにおいて、該ストロボの発光部の前面に透過型液晶ディスプレーを配置してなることを特徴とするシャッター付きストロボ。
【請求項２】
前記透過型液晶ディスプレーと発光部とは互いに離間或いは接近できるようにしてなることを特徴とする請求項１、３記載のシャッター付きストロボ。
【請求項３】
カメラに外付け或いはカメラの周囲に配置されスレーブを有するストロボにおいて、該ストロボの発光部の前面に透過型液晶ディスプレーを配置してなることを特徴とするシャッター付きストロボ。
【請求項４】
前記透過型液晶ディスプレーは前記発光部に対して着脱自在にしてなることを特徴とする請求項１，３記載のシャッター付きストロボ。
【発明の詳細な説明】
【技術分野】
【０００１】
この発明はカメラに対して内蔵、外付け、外置きのストロボの発光部の前面にシャッターを配置したシャッター付きストロボに関する。
【背景技術】
【０００２】
従来、カメラ内蔵型、外付け型、外置き型のストロボにはストロボの発光部に前面にカラーフイルター等を取り付けるようなことはあるがストロボの発光部からの光を通断あるいは発光面積の広狭を行うようなシャッターはなかった。機械式のシャッターでると構造的に難しくまた高価になるものでありなかなか実用に供されていないものである。しかしこれを電子的なシャッターにすれば価格も安く信頼性も向上するのでストロボの電子式のシャッターの開発が待ち望まれている。またストロボの発光部からの光をいろいろな模様に変化させショー会場などで利用使用とする要望も多くある。
【特許文献１】特開平２−５３０３８号公報
【発明の開示】
【発明が解決しようとする課題】
【０００３】
従って、この発明の課題は、カメラに内蔵、カメラの外付け、外置きのストロボにおいて、該ストロボの発光部の前面に透過型液晶ディスプレーを配置して価格の安価のしかも各種模様も発光できるシャッター付きストロボを提供するものである。
【課題を解決するための手段】
【０００４】
上記の課題を解決するためにカメラに内蔵又はカメラの周囲に配置されるストロボにおいて、該ストロボの発光部の前面に透過型液晶ディスプレーを配置することによって安価で各種の模様の発光ができるシャッター付きストロボが提供できる。
【発明の効果】
【０００５】
請求項１では安価で各種の模様の発光ができる効果がある。
請求項２では発光部の広狭が実現できる効果がある。
請求項３ではスレーブを用いるから信号線が無く他に信号コードが絡まったりすることがない効果がある。
請求項４では透過型液晶ディスプレーを着脱自在構造にしたので携帯に便利な効果がある。
【発明を実施するための最良の形態】
【０００６】
（実施形態１）
以下、この発明の実施例を添付図面、図１、図２に基づいて説明する。
図１はカメラに対して外付け又は外置き型のストロボの回路で、１は電源、２はDC-DCコンバータ、３は充電するコンデンサーでこのコンデンサー３は常に電圧測定回路４によって測定されている。５はダイオードで逆流を防止している。
【０００７】
６は発光部７を発光するか否かを指示する発光部指示回路である。８はスレーブでカメラのフラッシュを受光するものであり、スレーブ８の感応で発光部８は発光する。９はスイッチで発光部指示回路６の指示でスイッチ９がオンし発光部７が発光する。図２は発光部７及び該発光部７の前面に配置した透過型液晶ディスプレーとの構造を概略的に示した概略図で、発行部７は図１の発光指示回路６の信号で発光する。
【０００８】
この発光部７の全面には透過型液晶ディスプレー１０が配置されていて、この透過型液晶ディスプレー１０のセグメントにはディスプレー信号作成部１１から表示すべき模様の信号が作成されてセグメント選択部１２に供給され、このセグメント選択部１２で透過型液晶ディスプレー１０のセグメントを選択する。
【０００９】
これによって選択されたセグメントの箇所の液晶が発光部７の光を通過させることができ、従って透過型液晶ディスプレー１０の表面には例えば「凸」模様が表示できる。透過型液晶ディスプレー１０のセグメントを選択しない場合は発光部７の光を通過させないから透過型液晶ディスプレー１１の表面には何にも模様が現れないものである。従ってストロボのシャター機能が実現できる。
【００１０】
次に、カメラと連動してシャター機能を実現する場合は図１のスレーブ８がカメラのフラッシュ光を受光するとこの信号を発光部指示回路６に供給し発光部７は発光する。図２の透過型液晶ディスプレー１０は予めセグメント選択部１２からセグメント選択がされる信号でセグメント選択されているからこの選択されてセグメントを発光部７の光が通過して透過型液晶ディスプレー１０に表面に所望の模様が表示できる。
【００１１】
また、表示部７と透過型液晶ディスプレー１０の両者は矢印Aのように相互に接近離反できるので透過型液晶ディスプレー１０を通過した光の拡散を選択できる。つまり両者が近ければ拡散は広く、離れれば拡散は狭まるものである。
【図面の簡単な説明】
【００１２】
【図１】この発明に係わるストロボ回路図。（実施形態１）
【図２】図１の回路に接続されるシャッター機構図。
【符号の説明】
【００１３】
１  電源
２  ＤＣ−ＤＣコンンバータ
３  コンデンサー
４  電圧測定回路
５  ダイオード
６  発光部指示回路
７  発光部
８  スレーブ
９  スイッチ
１０  透過型液晶ディスプレー
１１  ディスプレー信号作成部
１２  セグメント選択部
【図１】
2006195116.tif 000003
【図２】
2006195116.tif 000004
(57)【要約】【課題】  この発明の課題は、小型、薄型デジタルカメラに取り付けができなくとも外付けストロボを便利に利用できる外付けストロボを提供するものである。【解決手段】  カメラの周囲に配置される所謂外付けストロボにおいて、該外付けストロボの発光部以外の箇所にバンドを設けてなることを特徴とする外付けストロボ。【選択図】    図２
2006195115.tif 000002
【特許請求の範囲】
【請求項１】
カメラの周囲に配置される所謂外付けストロボにおいて、該外付けストロボの発光部以外の箇所にバンドを設けてなることを特徴とする外付けストロボ。
【請求項２】
前記バンドは発光部が設けられている部所に対して反対側の背面に設けたことを特徴とする請求項１記載の外付けストロボ。
【発明の詳細な説明】
【技術分野】
【０００１】
この発明はカメラのフラッシュ光をスレーブで受光して、同期して発光する外付けストロボに関する。
【背景技術】
【０００２】
最近、デジタルカメラが大いにもてはやされ従来の銀塩カメラを圧倒しているが、このデジタルカメラも薄型、小型化の傾向になってきている。薄型、小型であると内蔵されている内蔵フラッシュでは光量が十分でなく、従って、外付けストロボが必要になってくる。元来外付けストロボはこういった際に利用されてきたがやはり
小型、薄型デジタルカメラの場合も利用せざるを得ないものである。ところが小型、薄型デジタルカメラは外観的に外付けストロボを取り付ける十分なスペースがなく、従って外付けストロボを利用するのに不便があった。
【特許文献１】特開平２−５３０３８号公報
【発明の開示】
【発明が解決しようとする課題】
【０００３】
従って、この発明の課題は、小型、薄型デジタルカメラに取り付けができなくとも外付けストロボを便利に利用できる外付けストロボを提供するものである。
【課題を解決するための手段】
【０００４】
上記の課題を解決するためにカメラの周囲に配置される所謂外付けストロボにおいて、該外付けストロボの発光部以外の箇所にバンドを設けてこのバンドに人の指先等を差し込んで外付けストロボを挟み固定して十分に外付けストロボが利用できるようにしたものである。
【発明の効果】
【０００５】
請求項１では外付けストロボは両手をふさがずに利用できる効果がある。
請求項２では外付けストロボの光をカメラの発光方向と同じにできる効果がある。
【発明を実施するための最良の形態】
【０００６】
（実施形態１）
以下、この発明の実施例を添付図面、図１、図２、図３、図４に基づいて説明する。
図１は所謂外付けストロボ本体でこの外付けストロボ本体は電源、ＤＣ−ＤＣコンバター、コンデンサー、電圧測定回路、ダイオード、発光部等ストロボの一般的機能が内蔵されている。外付けストロボ本体１の前面にはカメラのフラッシュを受光するスレーブ２が配置されていて３は発光部である。前記発光部３の背面にはバンド４の両端がストロボ本体１に固定されている。このバンド４は図４に示すように指の周囲を包むような波形５に形成してある。従って指はこの波形５に沿って挿入される。
【０００７】
次に薄型、小型のデジタルカメラを操作していて外付けストロボ１を利用する場合は図４のように左手の手の平を手前にしてバンド４に指先６を挿入する、この場合４本の指先６と親指はデジタルカメラのボデーを摘むので発光部３はデジタルカメラの向いた方に向く。もちろん左手の指先と親指とでカメラを摘まなくともよいがカメラの安定性が悪い為、摘んで安定化して撮影した方が良い。つまりデジタルカメラは小型、薄型でも外付けのストロボを安定的に保持して光量をえることができるものである。
【図面の簡単な説明】
【０００８】
【図１】この発明に係わる外付けストロボの斜視図。（実施形態１）
【図２】図１の背面からみた斜視図。
【図３】図１のストロボ本体に指を指し込んだ場合の図。
【図４】バンドの側面図。
【符号の説明】
【０００９】
１  外付けストロボ
２  スレーブ
３  発光部
４  バンド
５  波形
６  指先
【図１】
2006195115.tif 000003
【図２】
2006195115.tif 000004
【図３】
2006195115.tif 000005
【図４】
2006195115.tif 000006
(57)【要約】【課題】コンピュータの入力に幅広く使われているマウスには多くの場合コードがついている。このコードが周辺器物と接触したり、折れ曲がってマウスの操作に支障をきたすことを解決する。【解決手段】ある程度の高さをもってコードを中空に維持することで、コードがマウス操作を邪魔することを避ける。吸盤によって固定されるその支柱は、ある程度の柔軟性を持つように成型し、またコードを直接支える輪は、コード表面との摩擦を避けるために平滑度の高くないものを採用することで、コードが輪の中を自由に動けるようにする。【選択図】  図１
2006195614.tif 000002
【特許請求の範囲】
【請求項１】
机上から一定の高さの支柱を設け、その先端に輪を作り、そこにコード通すことによって、コンピュータのマウスコードが絡まったり、ほかの器物に接触したりして作業をじゃますることを避けることを特徴とする道具。
【発明の詳細な説明】
【技術分野】
【０００１】
本発明は、コンピュータで使うマウスのコードが絡まったり、周辺器物と接触したりすることを避けるために棒の先についた輪にコードを通すことに関するものである。
【背景技術】
【０００２】
今までは、マウスコードが作業を妨げることを避けるために、マウスパッドの先端にコードを保持するように成型したり、コードをらせん形に成型した針金状の保護具で覆うなどの技術があった。
【発明の開示】
【発明が解決しようとする課題】
【０００３】
そのために、次のような問題があった。
（イ）マウスパッドの一部として成型したものは、マウスパッドを使わない場面では所期の目的を果たせない。
（ロ）らせん状の保護具では、保護具自体がほかの器物に接触して、けっきょくマウスの動きを邪魔するたびに、作業が中断し、能率が下がり作業者に心理的ストレスを強いてきた。
（ハ）コードがマウス自体の動きを邪魔するために、マウスでポインターを使う場合不正確になり、そのために時間のロスが生じた。本発明は、これらの問題を解決するためになされたものである。
【課題を解決するための手段】
【０００４】
マウスとコンピュータの中間で、マウスから２０センチメートルくらいの位置付
近に立てられる支柱状の棒を確保しその先端にコードが滑りやすいように、表面を平滑度の低いざらざらに成型した輪を作る。マウスコードをその輪に通すことで、マウスパッド、コンピュータ本体をはじめとするいかなる器物とも、マウスコードが想定外の接触をしないようにする。また支柱の机との接触面には吸盤を使用し、マウスコードが作業者によって強く引かれても倒れないように成型する。
【発明の効果】
【０００５】
コード自体が絡まることや、コードがほかの器物に接触することでマウスの動きが妨げられることがなくなり、きわめてスムーズに入力作業をすることができる。
【発明を実施するための最良の形態】
【０００６】
以下、本発明の実施の形態を説明する。
（イ）通常使われる机の表面に吸着してこの道具にかかる負荷を支えるために、まず柔らかいプラスチックで吸盤状に土台を成型する。それとつなげて約１０センチの長さの棒を伸ばし、その先端に直径２センチ程度の輪を成型する。先端部の輪は、マウスコードがその中を通った後は、あまり大きな直径を必要としないが、コードがコンピュータ本体と接続するUSB端子などが楽に通る大きさでなければならない。
（ロ）素材はすべてプラスチップとし、一番上の楕円形の輪の部分のみ表面にざらつきを持たせ、マウスコードとの接触によって相互に磨耗したり、また使用者に摩擦感を与えないように、表面を荒く加工する。支柱はあまり固く成型せず、コードが先端の輪と多少の摩擦を生じてもそれを吸収できるようにする。
こうすることで、マウスコードを中空で支えることになり、周辺の器物に接触することなく、快適に入力作業をすることが可能になる。
【図面の簡単な説明】
【０００７】
【図１】本発明の正面図
【図２】本発明の使用例斜視図
【符号の説明】
【０００８】
１  マウスコードを通すための輪
２  支柱
３  吸着版
４  マウスコード
５  マウス
６  コンピュータ
【図１】
2006195614.tif 000003
【図２】
2006195614.tif 000004
(57)【要約】【課題】コンピュータに入力する際に、キーを見ないで打つブラインドタッチといわれる方法において起こる間違いや非能率を改善するために、着脱可能な突起を表面につけることによって、正確さを増し能率を上げる。【解決手段】キーそのものの表面を、それぞれのキーを指先が識別できるように形成するか、もしくはプラスチック製で着脱可能な突起をつけ、かつ周辺部のキーにはその位置を容易に確認できるような形状を成型する。【選択図】  図１
2006195613.tif 000002
【特許請求の範囲】
【請求項１】
コンピュータに入力する際のブラインドタッチで間違いやすいキーに、プラスチックやビニールで成型した突起物を装着することで、キーを正確にたたけるようにした道具である。
【請求項２】
日本語をローマ字入力する際に多用する母音(a, i, u, e, o)と長音記号(ー)を、ほかのキーと区別しやすくするために、それぞれ母音あるいは長音であることが触るとすぐにわかるように突起をつけて成型し、キーのうえに装着して使う道具。
【発明の詳細な説明】
【技術分野】
【０００１】
本発明は、コンピュータで使う入力用のキーにビニール状の突起をつけ、入力時に間違ったキーを打つ可能性を減少するもので、特に小指や薬指でたたく遠くにあるキーを識別しやすいように成型した発明である。
【背景技術】
【０００２】
今までは、主に西欧でアルファベット入力用にできているキーボードを使ってきたために、左右の人差し指の位置をしめすFとJ という二つのキーの上に小さな突起がつけられているだけで、ほかのキーにはその位置を確認するための特徴が成型されることはなかった。
【発明の開示】
【発明が解決しようとする課題】
【０００３】
そのために、次のような問題があった。
（イ）日常生活であまり使われない小指と薬指を使うときには、数字の０や長音、また数字の２、アルファベットのWやQといった周縁部分のキーを打つときに間違うことが多かった。さらにZやX、さらにM、Vといった手元のキーを打つときにも間違う頻度が高くなるのがふつうだった。
（ロ）とくに日本語をローマ字入力するときには、二回に一回はたたかれる母音（あいうえおに相当するA,I,U,E,O）と長音(ー)をきわめて頻繁に使うことになるが、それらのキーは、欧文を入力するときには特に多用されるわけではないので、識別用の工夫は特にされていない。このことは、日本語を入力する際には、不便を招来し、誤打の発生を多くし、作業の遅滞を招き作業者に負担をかけることになっている。本発明はこの問題を解決するためになされたものである。
【課題を解決するための手段】
【０００４】
ビニールもしくはやわらかいプラスチックのような素材を使って、abcのアルファベット２６文字の小文字を表面に成型し、さらに数字の１から０までの１０文字、それと日本語独特の長音（ー）、合計３７文字を１組として、キーファインダーのセットとする。使用する場合は、使用者が個々人の判断で、長音と母音の６文字、あるいは使用頻度の高い文字を適宜選んで使うものとする。また長音（ー）やP、数字の２やQ.Wといったキーには、作業者から遠い側にわずかな隆起をつけることで、それらのキーをブラインドタッチで正確にたたけるように成型する。
【発明の効果】
【０００５】
自分にとって使用する頻度が高いもの、あるいは間違いやすいキーに貼り付けて使用することで、打ち間違いを減らし、入力スピードを上げられるようにする。
【発明を実施するための最良の形態】
【０００６】
以下、本発明の実施の形態を説明する。
３７個のファインダーはすべて着脱可能な程度の接着剤をその底に塗布し、使用者が使いたいキーの上に簡単に固定できるようにし、ずれたりはがれたりしにくいように成型するが、同時に必要でなくなった際にははがすことが簡単にできるようにする。材料は手に心地よい感触を与える柔軟性を持ったビニールかプラスチックのような石油化学製品の材料とする。
【図面の簡単な説明】
【０００７】
【図１】本発明の一例（Xのキーファインダー）をキーボードに貼り付けた状態の俯瞰図
【図２】本発明の一例（下辺部にオーバーラン予防の突起をつけたもの）
【図３】本発明の側面図(上部にオーバーラン予防の突起をつけたもの）
【図４】本発明のうちオーバーラン予防突起をつけたもの(合計9個)
【図５】オーバーラン予防突起をつけた周縁部用のもの9個と中心部で混同しやすい部位にのみ本発明を装着したもの
【符号の説明】
【０００８】
１  キー
２  キーファインダーのシール全体
３  各キーをあらわした突起部分
４  周縁部のキーに施されたオーバーラン予防突起
５  接着を強くするために各キーの表面サイズより大きく成型されたシールを折り曲げる線
【図１】
2006195613.tif 000003
【図２】
2006195613.tif 000004
【図３】
2006195613.tif 000005
【図４】
2006195613.tif 000006
【図５】
2006195613.tif 000007
(57)【要約】      （修正有）【課題】現在、使われている金銭登録機には偽造紙幣を判別する機能がなく、手ざわりや色などで判別しているが、この方法は時間、手間を要し、スーパーなどの店の混雑時には適さない。更にこの様な方法はお客様に不快感を与え信頼感をなくしてしまう。これらの不都合を解決する方法を提供する。【解決手段】金銭登録機の紙幣ホルダー３部分に発光体を取りつけた小窓をもうけ紙幣の背面から光があたる様にして、すかし部分がはっきりと見える様にし本物の紙幣か否かを判断する。【選択図】図１
2006195944.tif 000002
【特許請求の範囲】
【請求項１】
偽造紙幣判別機能がついていることを特徴とした金銭登録機
【発明の詳細な説明】
【技術分野】
【０００１】本発明はカラーコピー機の向上により多発している偽造紙幣を判別するための装置を金銭登録機の一部分に内造したものである。
【背景技術】
【０００２】現在普及している金銭登録機には偽造紙幣を判別する能力はなく確認するのには、紙幣のすかし部分を光りにかざしたり色あいなどで判別しているのが現状である。
【発明の開示】
【発明が解決しようとする課題】
【０００３】偽造紙幣を判別するのにすかし部分を光りにかざしたり、手ざわり、色等で確認する方法は時間もかかり、お客様に対して不快感を与え好ましくない、偽造紙幣は店の混雑時に使用されることが予想されるので瞬時に見わけられる装置が必要である。又、金銭登録機は高価なため開発や製造にコストがかからず商品価格に影響がないことが望ましい。
【課題を解決するための手段】
【０００４】この課題を解決するための請求項１の発明は金銭登録機についている紙幣ホルダー、後方部分を一部切りとり小窓を設けその中に発光体をとりつけ、この発光体からの光をホルダーにはさんである紙幣のすかしにあて、偽造紙幣であるか否か見分けるというものである。
レジ操作者は、お客様から渡された紙幣を、間ちがいをなくすためにすぐレジの中には入れず、紙幣ホルダーにはさみ、つり銭を渡してからレジの中にしまうという方法をとっている、この、わずかな時間を利用して偽造紙幣を判別するものである。【０００５】この偽造紙幣判別装置は構造的には単純でスペースもとらないので現在の金銭登録機の構造を大きく変更したりすることもなく製造コストも安くすみ高価な金銭登録機の価格への影響がなく商品の附加価値が高まる。
金銭登録機の形状は各メーカーにより異っているが、どんな形状のものにも発光体を入れる少しのスペースさえあればこの装置は設置可能である。
発光体の設置場所は空いているスペースであり特に限定されない。
又、光源は、電球・ハロゲン球  発光ダイオードなどで図２でハロゲン球を使用した例を表した。電源は金銭登録器内部のものを使用する。
【発明の効果】
【０００６】本発明により偽造紙幣か否かを、確実に瞬時に店の繁忙時にも判別することができる。小さな装置なので目立たずお客様に対して不快感を与えない。
万が一、偽造紙幣とわかった場合には、使用者をその場ですぐ特定できる。
この偽造紙幣判別機は金銭登録機本体に内造されているのでせまいレジ廻りでも場所をとらず、じゃまにならないので使い勝手が良い。
【発明を実施するための最良の形態】
【０００７】図１は偽造紙幣判別装置付金銭登録機の斜視図である。
１の部分が偽造紙幣判別装置の部分であり、発光体の光があたる部分２を設けている。３の紙幣ホルダーに、紙幣をはさむとすかし部分に２の偽造紙幣判別装置からの光があたり、すかしが確認され本物か否か瞬時に見分けがつく。金銭登録機の形状は各製造メーカーによりそれぞれのため図１にひとつの例をあらわしたが発光体の小窓の形や場所などは空きスペース部分にあえばよく特に限定されるものではない、図１では丸型とした。【０００８】図２は偽造紙幣判別装置の前面部分を拡大したものである。
発光体の長時間使用等により交換の必要性が出た場合に配慮し偽造紙幣判別装置の扉部分を開閉可能にした。５の小さなつまみを手前にひくと扉があき扉の背面部にとりつけられている発光体の交換が可能である。【０００９】図３は図２の背面部分であり発光体の取りつけ方を図にしたものである。
発光体は、電球、ハロゲン球、発光ダイオード等何でもよいがこの図では４のハロゲン球を使用した場合を例とし図にしている。６はソケットである。
【産業上の利用可能性】
【００１０】本発明による偽造紙幣判別機能装置付金銭登録機は紙幣のすかし部分に光をあてるという単純な方法を利用したもので構造も簡単なため開発コストもかからず量産可能である。カラコピー機の普及で安易に偽造紙幣が作られる様になった現在では必要性が高く利用価値が高いと思われる。
【図面の簡単な説明】
【００１１】
【図１】本発明の全体斜視図
【図２】本発明の主要部前面拡大図
【図３】図２の部分の背面図で発光体取付説明図
【符号の説明】
【００１２】１  偽造紙幣判別装置扉
２  偽造紙幣判別装置発光体小窓
３  紙幣ホルダー
４  ハロゲン球
５  扉開閉用つまみ
６  ソケット
７  偽造紙幣判別装置扉背面部分
【図１】
2006195944.tif 000003
【図２】
2006195944.tif 000004
【図３】
2006195944.tif 000005
(57)【要約】【課題】従来の一般的に知られている平方根を算出するアルゴリズムであるニュートン法は割り算を用いて答えを収束して求めるものであるが、割り算がコンピュータにとって負荷の大きい処理であるため、より大きな桁数の計算に応用することや、立方根やそれ以上の根の算出に応用することが難しかった。また、収束が必ずしも正確な値とならなかった。【解決手段】割り算を使わず、桁数の増大による処理負荷の増大が小さく、根の増大による処理負荷の増大が小さい、正確な値を求められるアルゴリズムを新たに発明する。それは２乗と大小判定と各ビットの加算又は減算を繰り返し、最後に２乗と大小判定と最下位ビットの加算又は減算を２回行うアルゴリズムである。【選択図】図１
2006195933.tif 000002
【特許請求の範囲】
【請求項１】
２乗と大小判定と各ビットの加算又は減算を繰り返し、最後に２乗と大小判定と最下位ビットの加算又は減算を２回行うことを特徴とする平方根算出アルゴリズム。
【発明の詳細な説明】
【技術分野】
【０００１】  この発明は、平方根を算出する方法に関する。
【背景技術】
【０００２】  従来の一般的に知られている平方根を算出する方法は、割り算を使って答えに収束していくものである。これはニュートン法と呼ばれている。
【発明の開示】
【発明が解決しようとする課題】
【０００３】  しかしながら、以上の技術によれば、割り算がコンピュータにとって負荷の大きい処理であった。割り算の処理負荷が大きいことにより、桁数の増大による処理負荷の増大が大きく、コンピュータシステムの進歩又は必要に伴い要求される、より大きな桁数の計算に応用することが難しかった。また、割り算の処理負荷が大きいことにより、算出する根の増大による処理負荷の増大が大きく、立方根やそれ以上の根の算出に応用することが難しかった。また、収束が必ずしも正確な値とならなかった。
そこで、この発明は、桁数の増大による処理負荷の増大が小さいことにより、より大きな桁数の計算に応用しやすい、根の増大による処理負荷の増大が小さいことにより、立方根やそれ以上の根の算出に応用しやすい、正確な値を算出できるアルゴリズムを提供することを課題とする。
【課題を解決するための手段】
【０００４】  以上の課題を解決するために、第一発明は、２乗と大小判定と各ビットの加算又は減算を繰り返し、最後に２乗と大小判定と最下位ビットの加算又は減算を２回行うことを特徴とする平方根算出アルゴリズムである。
【発明の効果】
【０００５】  第一発明によれば、割り算を使うアルゴリズムと比べて処理負荷が小さい。処理負荷が小さいことにより、桁数の増大による処理負荷の増大が小さく、より大きな桁数の答えを求めることに応用しやすい。処理負荷が小さいことにより、算出する根の増大による処理負荷が小さく、立方根やそれ以上の根の算出に応用しやすい。また、すべてのビットの状態を確定させることにより、正確な答えを算出できる。
【発明を実施するための最良の形態】
【０００６】  この発明の一実施形態を、図１に示す。
平方根を求めたい値がＡとして入力される。求めた平方根の値はＸとして出力される。
求めるべき値が平方根の最大値を超えている場合は、例外処理としてＸをＭとする。
ＸとＤを初期値で初期化する。
Ａ＞＝Ｘ＊Ｘである場合はＸにＤを足し、Ａ＜Ｘ＊Ｘである場合はＸからＤを引く。Ｄを右シフトし、Ｄが０となるまで処理を繰り返す。
Ａ＞Ｘ＊Ｘである場合、Ｘの最下位ビットをインクリメントする。
Ａ＜Ｘ＊Ｘである場合、Ｘの最下位ビットをデクリメントする。【０００７】  「他の実施形態」
図１のＸ＊ＸのところをＸ＊Ｘ＊Ｘとし、Ｍ、Ｘｆｉｒｓｔ、Ｄｆｉｒｓｔの値を決める式のビット数／２をビット数／３とすることで、立方根を求めるアルゴリズムとなる。同様に、乗数や割る数を増やすことにより４乗以上の根を求めるアルゴリズムとなる。
計算するビット数を増やすことにより、より大きな桁数の平方根を求めるアルゴリズムとなる。
【産業上の利用可能性】
【０００８】  図１の実施形態を電子回路上で実現することにより、現状のコンピュータの計算性能を向上させることができる可能性がある。
平方根を用いている多くの計算技術の性能を向上させることができる可能性がある。
【図面の簡単な説明】
【０００９】
【図１】この発明の一実施形態を示したフローチャートである。
【図２】従来技術を示したフローチャートである。
【符号の説明】
Ａ  平方根を求める値
Ｍ  平方根の答えとしての最大値（（１＜＜（ビット数／２））−１である）
Ｄ  計算中の１ビットの情報を持つ変数
Ｂ  計算中の値を保存する変数
Ｘ  平方根の答えが設定される変数
Ｘｆｉｒｓｔ  Ｘの初期値（１＜＜（有効ビット数／２−１）である）
Ｄｆｉｒｓｔ  Ｄの初期値（１＜＜（有効ビット数／２−２）である）
＜＜  左シフト演算を示す
ビット数  演算を行う値の最大ビット数
有効ビット数  値を表現するのに十分なビット数
【図１】
2006195933.tif 000003
【図２】
2006195933.tif 000004
(57)【要約】【課題】精巧な印刷技術による偽札が出回る中、出来るだけ安価で単純な装置で真贋を判別する方法は無いか？紙幣の透かしを判別するために手に持って光にかざすという動作は、紙幣使用者にとって不快感を抱かせるため、それを避ける方法は無いか？【解決手段】紙幣を受け取る時、本発明品の上に紙幣を載せることにより、本発明品の発光により透かしの有無のみを確認することによって精巧な印刷による偽札の判別を行う。また、本発明品で紙幣を受け取って置くことにより、相手に不快感を与えることなく自然な動作で透かしの有無を確認することが出来る。【選択図】  図１
2006195934.tif 000002
【特許請求の範囲】
【請求項１】
偽造紙幣の透かしの有無を確認するための、光による透過装置
【請求項２】
紙幣を受け取る際、紙幣を渡した側に対してあからさまに透かしを確認していることが判別できない装置
【請求項３】
以下の要件を満たしたことを特徴とする請求項１及び２に記載の紙幣すかし確認装置
（イ）  光源によってすかしの有無を確認する機能を有する
（ロ）  電源もしくは携帯電源での光を発する機能を有する
（ハ）  装置の上に紙幣を置くことによって、透かしの有無を確認する機能を有する
（ニ）  紙幣の透かしを確認する程度の明かりを発光する機能を有する
（ホ）  紙幣貨幣を装置上部に置く機能も有する
【発明の詳細な説明】
【技術分野】
【０００１】本発明は紙幣の透かしの有無を確認する機能と、紙幣使用者にあからさまに透かしの有無を確認することにより不快感を抱かせないことを実現するための光による透かし確認装置に関するものである。
【背景技術】
【０００２】紙幣の真贋を判別する機器は、金融機関等のキャッシュコーナーでの真贋の判別に使用されている。【０００３】一般的には紙幣の透かしは電灯や太陽にかざして見る。
【発明の開示】
【発明が解決しようとする課題】
【０００４】印刷技術の発展により一目見ただけでは真贋の判別が難しい偽札が現れた。【０００５】これまでの紙幣の真贋の判別においては以下の問題点が存在した。
（イ）透かしだけでなく、紙幣全体の真贋を自動的に機械で判別するため高価である。
（ロ）受け取った紙幣をあからさまに真贋の判別をするのは渡した側に対して失礼にあたる。
（ハ）素人に真贋の判別は難しい。
本発明はこれらの欠点を解決するために為されたものである。
【課題を解決するための手段】上記目的に関する本発明は次のとおりである。【０００６】精巧な印刷技術によって作られた偽札の透かし部分の不備に注目して、透かしの有無を確認することによって透かしの無い偽札を判別する。【０００７】紙幣全体での真贋を見るのではなく、透かし部分の有無のみを光を当てることによって簡単に判別する。【０００８】客あるいは紙幣使用者から受け取った紙幣を本発明品の上に置くことにより透かしの有無を確認する。【０００９】透かしの有無の確認作業だけで精巧な印刷による偽札の大部分を判別することが出来る。
【発明の効果】
【００１０】透かしの有無の判別により素人でも簡単にすることが出来、偽札による被害を減少させることが出来る。【００１１】受け取った紙幣の透かしの確認という行為が簡単に出来るため、紙幣使用者への不快感を軽減することが出来る。【００１２】現在流通している偽札の被害を縮小する効果がある。【００１３】本発明品を使用していることにより、偽札使用者に対し犯罪抑止効果がある。
【発明を実施するための最良の形態】
【００１４】お金を受け取る受け皿の下面から発光するようにして、お金を受け取った行為と透かしの確認がスムーズに自然に同時に行えるようにする。【００１５】レジ・カウンター等の紙幣を置く場所に置き、お釣りを渡す前に透かしの有無の確認が行えるようにする。
【実施例】
【００１６】お金を受け取る際に一旦、本発明品の上に載せることにより皿上の下面の発光で、透かしの有無が確認できる。【００１７】カード型の本発明品をレジ等の脇に置き、受け取った紙幣を上に重ることにより、透かしの有無が確認できる。
【産業上の利用可能性】
【００１８】現金小口取引の企業もしくは個人が誰でも簡単に使用できる。
発光源を利用したインテリアとしても利用可能。
【図面の簡単な説明】
【００１９】
【図１】紙幣透かし有無確認装置（トレイ型）  お客様より預かったお金をお釣りを渡す前に一旦トレイに置いて保管するように使用する。
【図２】紙幣透かし有無確認装置（カード型）  レジの横などお釣りを渡す時に紙幣をいったん置く場所に置いて使用する。
【図１】
2006195934.tif 000003
【図２】
2006195934.tif 000004
(57)【要約】【課題】  多角面からの光源照射による紙面の透過及び反射の情報や加圧よって得られる情報により、紙幣に施されている透かし像を採取及び演算処理することで、偽造紙幣識別を高確率で可能とする。【解決手段】  紙幣に施されている透かし像に対して、単光源もしくは単波長や複数波長の複数光源を照射し得られる透過光もしくは反射光の紙幣画像情報と、加圧により圧力センサーから得られる加圧情報を総合判断し既存の識別機構に追加することで、偽造紙幣識別の更なる向上に貢献する。【選択図】図１
2006195929.tif 000002
【特許請求の範囲】
【請求項１】
単光源もしくは単波長や複数波長で構成される複数光源を、紙幣の片面へ照射した光により得られる透過光情報及び反射光情報と、紙幣面に加圧することにより得られる圧力情報を総合的に処理することで、紙幣に施された透かし像印刷の判別に於ける既存技術を更に向上させ、更には、より簡素化した構造から成る単体をレジ清算作業等の現金取引における迅速にしてかつ容易な確認作業を可能とし、偽造紙幣行使の防止と健全な紙幣流通の改善を目的とする、多角面からの光源照射と圧力センサーから構成される紙幣に施された透かし像印刷識別センサー。
【発明の詳細な説明】
【技術分野】
【０００１】  本発明は、偽造紙幣判別原理に於ける光源及び圧力による紙幣に施されている透かし像識別機構に関するものである。
【背景技術】
【０００２】  一般市場に流通している紙幣には透かし像を始め様々な印刷方法を用いた偽造防止加工が施されている。【０００３】  近年パーソナルコンピューターを始め画像スキャン機器や家庭用印刷機械の目覚しい性能と機能との向上及びその急速な普及により紙幣偽造行為が容易にしてかつ大量に生産可能となっている。【０００４】  技術革新が進む現在に至っても、様々な紙幣使用箇所での偽造紙幣行使事件は絶えない。行使場所として主に、スーパー等のレジ清算所などの現金引換所え、及びタバコ、飲料水、切符販売に於ける自動販売機による自動清算所が挙げられる。【０００５】  偽造紙幣を判別するに当たり、即時にかつ容易にできるのが透かし像の識別である。しかしレジ清算所など人対人による現金引換えにおいて、一般に行われている天井光源を用いた透かし像判別は確実ではあるにも拘らず、その業務中に於ける確認行為の非効率性や、お客様に対する不信感や不快感を印象付けてしまう行為である性格上、万事における行使は難しいのが現状である。【０００６】  さらに、自動販売機に於ける機械判別機構に於いても、偽造紙幣行使場としての使用が絶えない現状から判断して完成度の高い状況とは判断しがたい。
【発明の開示】
【発明が解決しようとする課題】
【０００７】
【０００８】  解決しようとする重要な課題は、健全な紙幣流通の改善策を講じるに当たり、紙幣印刷技術に於ける透かし像構成の高技術性とその識別の確実性は、偽造紙幣製造及び行使防止の更なる向上に貢献する可能性を充分残している点にある。
【課題を解決するための手段】
【０００９】  本発明は、紙幣に施された透かし像をレジ作業中の直視による容易な判別や確認行為の与える不快感を解消し、さらに機械的自動判別に於ける性能向上を可能とするため、紙幣面に於ける透かし像を含めた混在する情報に対し、単光源もしくは複数の多角光源より得られる光情報と加圧により得られる圧力情報とを、相互補足しつつ既存の技術と合わせて総合的に判断することを最も主要な特徴とする。
【発明の効果】
【００１０】  本発明の光源と加圧による透かし像識別機構は、レジ清算所等に於ける現金取引の作業と並行しつつ視角によるその識別を可能とする利点があり、さらに目線を極端に変えることなく確認できることから紙幣使用者への違和感や不快感を大幅に軽減できる効果がある。【００１１】  本発明は、自動清算機械による透かし像の機械的自動判別に於いて、従来得られる情報に対して、透かし像印刷部に於ける光の透過及び反射像のデータや、加圧偽造印刷に対応する形成データを追加補足することで更なる紙幣判別機能の向上効果に貢献する。
【発明を実施するための最良の形態】
【００１２】  省スペースにしてかつ迅速容易に、紙幣に施された透かし像の識別目的を、任意の部品点数で基本的構造の代表例を記した。
【実施例１】
【００１３】  図１は、本発明の１実施例の断面図であり、１〜７は図２と同様である。【００１４】  紙幣通過ラインに於いて両面を挟む状態で紙面の加圧データを得る事により加圧による外傷や偽造加工された造影物を識別する。【００１５】  紙幣の片面へ光源から光照射を行い、同受光面からの反射光による折り目筋や外傷等の紙面データを採取する。【００１６】  紙幣の片面へ光源から光照射を行い、その反対面より透かし像を含めた様々な透過像データを採取する。【００１７】  この透過光により得られた採取データから、加圧データ及び反射光データを差し引くことにより、紙幣面上に混在する様々なデータの中から求める透かし像のより鮮明なデータを浮かび上がらせることを可能にする。必要に応じて、光源の紙幣に対する照射角度及び受光角度を考慮し、最大効率で最適の情報を採取可能な設定を施す。本発明の主体は紙幣紙面の情報を採取する構造にあるので、データ処理に関する演算子及び情報処理等に関する説明は省略する。【００１８】  図２は、図１の紙幣通過ラインに曲線を加えた場合である。さらにその曲線部に光源へ棒状もしくは筒状光源拡散樹脂からなる光拡散媒体を施した光透過データの採取部を装備し、判別機構の省スペース化を図る事を可能にした。【００１９】  さらに使用部品を極力削減し、下面透過光源から基本構成されるレジ清算作業向け視角確認構造の構築も可能である。紙幣下部より光源を得るため、目線を下ろした状態で紙幣上面に映し出される透かし像を確認でき、レジ清算作業の中断や、あからさまな確認行為による不快感も解消される。さらに、天井照明による透かし像確認作業への干渉を防止する目的でカバー等の設置も考慮し、紙幣脱落防止の固定部品を装備、センサーにより検査時のみに対応する自動電源装置を施すことにより、その汎用性と利便性を向上させる。【００２０】  この単体構造は極めて単純なため、単体による製品を既存のレジ清算機械へ単独装備が可能であり、その他の現金取引場所でも使用範囲を広げることが可能である。
【産業上の利用可能性】
【００２１】  現在様々な技術革新により、多種色にして高輝度、多角的照射範囲の選定を可能としたＬＥＤ等により様々な光源、ＥＬバックライト等の普及や圧力センサーの精度向上及び形状の多様化、省スペース化の可能性が広がる現在において、この判別機構を既存のシステムへ追加採用するに当たり、既存の汎用されている自動清算機械やレジ採算機械等の大幅な規格変更を伴うことなく、その偽造紙幣判別精度向上に貢献できる。
【図面の簡単な説明】
【００２２】
【図１】透かし像判別センサーの実施方法を示した説明図である。（実施例１）
【図２】透かし像判別センサーの実施方法を示した説明図である。（実施例２）
【符号の説明】
【００２３】１  紙幣通過ライン
２  加圧部
３  圧力センサー
４  透過光光源
５  透過データ採取部
６  反射光光源
７  反射データ採取部
【図１】
2006195929.tif 000003
【図２】
2006195929.tif 000004